(57)【要約】【課題】構造を複雑化させることなく部品点数を削減するとともに、液晶モジュールへの取り付け作業および取り外し作業の作業性を向上させることが可能な液晶モジュールの保護フィルムを提供する。【解決手段】液晶表示部５１と額縁部５２とを有する方形状の液晶モジュール５０の保護フィルム１０において、保護フィルム１０は、液晶表示部５１に取り付けた場合に、取り外し時の取り外し代となる張出部１１と、額縁部５２の四隅部の上面の所定領域に対応する位置に設けられた切欠部１２と、保護フィルム１０を液晶表示部５１に取り付ける際に、液晶表示部５１と額縁部５２との隙間に挿入される差込部１３とを含み、切欠部１２は、液晶表示部５１の外形線の２辺に沿って延びる第１切欠部１２ａと、実質的に液晶表示部５１の外形線上に沿って延びる第２切欠部１２ｂとを有し、差込部１３は、丸形形状の先端部１３ａを有する。【選択図】図４
2005157084.tif 000002
【特許請求の範囲】
【請求項１】
液晶表示部と前記液晶表示部の外周に沿って設けられる額縁部とを有する方形状の液晶モジュールの少なくとも前記液晶表示部の全面を覆うように形成された液晶モジュールの保護フィルムにおいて、
前記保護フィルムは、
前記液晶表示部に取り付けた場合に、前記額縁部の外形線よりも全体的に外側に突出するように形成された取り外し時の取り外し代となる張出部と、
少なくとも前記額縁部の四隅部の上面の所定領域に対応する位置に設けられた４つの切欠部と、
前記４つの切欠部の前記液晶表示部側に位置するとともに、前記保護フィルムを前記液晶表示部に取り付ける際に、前記液晶表示部と前記額縁部との隙間に挿入される４つの差込部とを含み、
前記切欠部は、
前記液晶表示部の四隅部の外形線から外側に所定の距離隔てた前記額縁部に対応する領域に形成されるとともに、前記液晶表示部の外形線の２辺に沿って延び、かつ、端部が前記液晶表示部に向かって延びる第１切欠部と、
前記第１切欠部の端部と連続するように形成され、実質的に前記液晶表示部の外形線上に沿って延びる第２切欠部とを有し、
前記差込部は、前記第１切欠部の前記液晶表示部側に位置する前記保護フィルムの部分により形成されるとともに、丸形形状の先端部を有する、液晶モジュールの保護フィルム。
【請求項２】
液晶表示部と前記液晶表示部の外周に沿って設けられる額縁部とを有する液晶表示装置の保護フィルムであって、
少なくとも前記額縁部の隅部の上面の所定領域に対応する位置に設けられた切欠部と、
前記切欠部の前記液晶表示部側に位置するとともに、前記液晶表示部に取り付ける際に、前記液晶表示部と前記額縁部との隙間に挿入される差込部とを含む、液晶表示装置の保護フィルム。
【請求項３】
前記保護フィルムは、前記液晶表示部に取り付けた場合に、前記額縁部の外形線よりも外側に突出するように形成された取り外し時の取り外し代となる張出部を含む、請求項２に記載の液晶表示装置の保護フィルム。
【請求項４】
前記切欠部は、
前記液晶表示部の隅部の外形線から外側に所定の距離隔てた前記額縁部に対応する領域に形成されるとともに、前記液晶表示部の外形線の２辺に沿って延び、かつ、端部が前記液晶表示部に向かって延びる第１切欠部と、前記第１切欠部の端部と連続するように形成され、実質的に前記液晶表示部の外形線上に沿って延びる第２切欠部とを有する、請求項２または３に記載の液晶表示装置の保護フィルム。
【請求項５】
前記差込部は、丸形形状の先端部を有する、請求項２〜４のいずれか１項に記載の液晶表示装置の保護フィルム。
【請求項６】
前記切欠部は、前記額縁部の四隅部の上面に対応する位置に４つ設けられており、
前記差込部は、前記４つの切欠部の前記液晶表示部側に対応する位置に４つ設けられている、請求項２〜５のいずれか１項に記載の液晶表示装置の保護フィルム。
【発明の詳細な説明】
【技術分野】
【０００１】
本発明は、液晶モジュールの保護フィルムおよび液晶表示装置の保護フィルムに関し、特に、液晶表示部を覆うように形成された液晶モジュールの保護フィルムおよび液晶表示装置の保護フィルムに関する。
【背景技術】
【０００２】
従来、液晶表示部を覆うように形成された液晶モジュール（液晶表示装置）の保護フィルムが知られている。
図１０は、従来の一例による液晶モジュールの保護フィルムと液晶モジュールとを示した斜視図である。図１１は、図１０に示した従来の保護フィルムを液晶モジュールに取り付けた状態を示した斜視図である。図１２は、図１１の部分拡大図である。まず、図１０〜図１２を参照して、従来の一例による保護フィルム１０１について説明する。
【０００３】
この従来の保護フィルム１０１は、図１０および図１１に示すように、液晶表示装置に用いられる部品としての液晶モジュール１５０を完成品メーカに出荷する際、液晶表示部１５１と額縁部１５２とを含む液晶モジュール１５０の液晶表示部１５１を保護するために取り付けられる。なお、液晶モジュール１５０の額縁部１５２の側面には、図１０および図１２に示すように、複数のねじ／端子取付部１５２ａが設けられている。また、保護フィルム１０１は、液晶モジュール１５０を、部品工場から完成品メーカの液晶表示装置の組立工場に搬送する間だけ使用される。そして、保護フィルム１０１は、液晶表示装置の組立工場内で液晶モジュール１５０から取り外される。また、保護フィルム１０１は、液晶モジュール１５０の方形状の額縁部１５２の外形線に沿った方形状に形成されている。
【０００４】
また、保護フィルム１０１は、弱粘着性の４つのドラフティングテープ１０２によって液晶モジュール１５０に取り付けられている。このように弱粘着性のドラフティングテープ１０２を用いるのは、以下の理由による。すなわち、粘着性のテープを用いると粘着性テープを取り外した後に粘着性糊が額縁部１５２の側面に付着する。一方、弱粘着性のドラフティングテープ１０２を用いると、ドラフティングテープ１０２を取り外した後も弱粘着性糊が額縁部１５２の側面に付着しにくいためである。このドラフティングテープ１０２は、保護フィルム１０１に一部を貼り付けるとともに、残った部分を液晶モジュール１５０の側面に貼り付けることによって、保護フィルム１０１を液晶モジュール１５０に固定している。また、ドラフティングテープ１０２は、図１２に示すように、取付部１０２ａと折返部１０２ｂとを含んでいる。取付部１０２ａは、ドラフティングテープ１０２の裏面に付着された弱粘着性糊によって、保護フィルム１０１を液晶モジュール１５０に取り付ける部分である。また、折返部１０２ｂは、ドラフティングテープ１０２の基端部から所定の距離を隔てた位置を折り返してドラフティングテープ１０２の裏面に貼り付けることにより形成されている。この折返部１０２ｂは、保護フィルム１０１を液晶モジュール１５０から取り外す際に、この部分を把持して容易にドラフティングテープ１０２を剥がすことができるようにするために設けられている。
【０００５】
また、従来の表示部を覆うように形成されたタッチパネルの保護シートを液晶モジュールの保護フィルムとして利用することも知られている（たとえば、特許文献１参照）。
【０００６】
上記特許文献１には、裏面に、四角形の開口部の隅部の近傍に突出した位置決め部を設けたフレームと、この位置決め部を貫通させるための孔を設けたタッチパネルの保護シートと、タッチパネルとを備えた構造が開示されている。この特許文献１に開示された構造
では、フレームの裏面から位置決め部を利用して保護シートを正規位置に取り付け、その上から、タッチパネルを取り付ける構造になっている。
【０００７】
【特許文献１】特開２００２−７３２７７号公報
【発明の開示】
【発明が解決しようとする課題】
【０００８】
図１０に示した従来の一例による保護フィルム１０１は、弱粘着性の４つのドラフティングテープ１０２を用いて液晶モジュール１５０に取り付けられているため、ドラフティングテープ１０２が必要な分、出荷時の部品点数が増加するという問題点があった。また、保護フィルム１０１を液晶モジュール１５０に取り付ける際には、ドラフティングテープ１０２を４つ分適当な長さに切り取って保護フィルム１０１に貼り付け、さらに、ドラフティングテープ１０２を貼り付けた保護フィルム１０１を液晶モジュール１５０に取り付けた後、４つのドラフティングテープ１０２にそれぞれ折返部１０２ｂを形成するという作業を行っていた。このため、保護フィルム１０１を液晶モジュール１５０に取り付ける際の作業時間が長くなり、その結果、液晶モジュール１５０に取り付ける際に必要な工数が増加するという問題点があった。
【０００９】
また、上記特許文献１に開示された構造では、保護シートに設けられた位置決め用の孔に対応してフレームに突出した位置決め部を設ける必要があるため、構造が複雑になるという問題点がある。
【００１０】
この発明は、上記のような課題を解決するためになされたものであり、構造を複雑化させることなく部品点数を削減するとともに、液晶モジュール（液晶表示装置）への取り付け作業および取り外し作業の作業性を向上させることが可能な液晶モジュール（液晶表示装置）の保護フィルムを提供することを目的とする。  
【課題を解決するための手段および発明の効果】
【００１１】
上記目的を達成するために、この発明の第１の局面における液晶モジュールの保護フィルムでは、液晶表示部と液晶表示部の外周に沿って設けられる額縁部とを有する方形状の液晶モジュールの少なくとも液晶表示部の全面を覆うように形成された液晶モジュールの保護フィルムにおいて、保護フィルムは、液晶表示部に取り付けた場合に、額縁部の外形線よりも全体的に外側に突出するように形成された取り外し時の取り外し代となる張出部と、少なくとも額縁部の四隅部の上面の所定領域に対応する位置に設けられた４つの切欠部と、４つの切欠部の液晶表示部側に位置するとともに、保護フィルムを液晶表示部に取り付ける際に、液晶表示部と額縁部との隙間に挿入される４つの差込部とを含み、切欠部は、液晶表示部の四隅部の外形線から外側に所定の距離隔てた額縁部に対応する領域に形成されるとともに、液晶表示部の外形線の２辺に沿って延び、かつ、端部が液晶表示部に向かって延びる第１切欠部と、第１切欠部の端部と連続するように形成され、実質的に液晶表示部の外形線上に沿って延びる第２切欠部とを有し、差込部は、第１切欠部の液晶表示部側に位置する保護フィルムの部分により形成されるとともに、丸形形状の先端部を有する。
【００１２】
この発明の第１の局面における液晶モジュールの保護フィルムでは、上記のように、保護フィルムに、少なくとも額縁部の四隅部の上面の所定領域に対応する位置に設けられた４つの切欠部と、４つの切欠部の液晶表示部側に位置するとともに、保護フィルムを液晶表示部に取り付ける際に、液晶表示部と額縁部との隙間に挿入される４つの差込部とを設けることによって、ドラフティングテープなどを使用して保護フィルムを液晶モジュールに取り付ける場合と比較して、ドラフティングテープなどを切り取って保護フィルムに取り付ける作業がなくなる分、保護フィルムを液晶モジュールに取り付ける際の作業性を向上させることができる。また、保護フィルムに、液晶表示部に取り付ける際に、液晶表示
部と額縁部との隙間に挿入される４つの差込部を設けることによって、液晶モジュールの液晶表示部を保護する機能と、液晶モジュールに保護フィルムを取り付ける機能とを１つの部材により得ることができるので、ドラフティングテープなどを使用して保護フィルムを液晶モジュールに取り付ける場合と比較して、部品点数を削減することができる。また、保護フィルムに、４つの差込部を設けることによって、液晶モジュール側に保護フィルムの取り付けのための構造または部分を新たに設ける必要がないので、構造が複雑化することもない。また、切欠部は、シート状の保護フィルムであれば、金型による加工によって形成することができるので、本発明は、種々の材質からなるシート状の保護フィルムに広く適用可能である。
【００１３】
また、第１の局面では、額縁部の外形線よりも外側に突出するように形成された取り外し時の取り外し代となる張出部を設けることによって、液晶モジュールに取り付けられた保護フィルムを液晶モジュールから取り外す際に、張出部を把持して容易に保護フィルムを取り外すことができる。これにより、張出部がない場合と比較して、保護フィルムを液晶モジュールから取り外す際の作業性を向上させることができる。
【００１４】
また、第１の局面では、切欠部に、液晶表示部の四隅部の外形線から外側に所定の距離隔てた額縁部に対応する領域に形成されるとともに、液晶表示部の外形線の２辺に沿って延び、かつ、端部が液晶表示部に向かって延びる第１切欠部と、第１切欠部の端部と連続するように形成され、実質的に液晶表示部の外形線上に沿って延びる第２切欠部とを設けることによって、液晶表示部と額縁部との隙間に差込部を挿入する際に、容易に、差込部を保護フィルムの主面に対して下方向に曲げることができる。これにより、第１切欠部および第２切欠部がない場合と比較して、より容易に液晶表示部と額縁部との隙間に差込部を挿入することができるので、保護フィルムを液晶モジュールに取り付ける際の作業性を向上させることができる。また、実質的に液晶表示部の外形線に沿って延びる第２切欠部を設けることによって、第２切欠部を保護フィルムに取り付ける際の位置決め部として用いることができる。
【００１５】
また、第１の局面では、差込部に、丸形形状の先端部を設けることによって、液晶表示部と額縁部との隙間に差込部を挿入する際に、差込部の先端により液晶表示部の表面に傷が付くのを抑制することができる。
【００１６】
また、第１の局面では、切欠部を、額縁部の四隅部の上面に対応する位置に４つ設けるととともに、差込部を、４つの切欠部の液晶表示部側に対応する位置に４つ設けることによって、４つの差込部により保護フィルムを液晶モジュールの四隅で固定することができるので、保護フィルムを液晶モジュールの四隅のうちの２ヶ所または３ヶ所で固定する場合に比べて、保護フィルムを液晶モジュールに対してより強い固定力で取り付けることができる。これにより、保護フィルムが搬送途中で外れるのをより抑制することができる。
【００１７】
この発明の第２の局面における液晶表示装置の保護フィルムでは、液晶表示部と液晶表示部の外周に沿って設けられる額縁部とを有する液晶表示装置の保護フィルムであって、少なくとも額縁部の隅部の上面の所定領域に対応する位置に設けられた切欠部と、切欠部の液晶表示部側に位置するとともに、液晶表示部に取り付ける際に、液晶表示部と額縁部との隙間に挿入される差込部とを含む。
【００１８】
この発明の第２の局面における液晶表示装置の保護フィルムでは、上記のように、保護フィルムに、少なくとも額縁部の隅部の上面の所定領域に対応する位置に設けられた切欠部と、切欠部の液晶表示部側に位置するとともに、液晶表示部に取り付ける際に、液晶表示部と額縁部との隙間に挿入される差込部とを設けることによって、ドラフティングテープなどを使用して保護フィルムを液晶表示装置に取り付ける場合と比較して、ドラフティ
ングテープなどを切り取って保護フィルムに取り付ける作業がなくなる分、保護フィルムを液晶表示装置に取り付ける際の作業性を向上させることができる。また、保護フィルムに、液晶表示部と額縁部との隙間に挿入される差込部を設けることによって、液晶表示装置の液晶表示部を保護する機能と、液晶表示装置に保護フィルムを取り付ける機能とを１つの部材により得ることができるので、ドラフティングテープなどを使用して保護フィルムを液晶表示装置に取り付ける場合と比較して、部品点数を削減することができる。また、保護フィルムに、差込部を設けることによって、液晶表示装置側に保護フィルムの取り付けのための構造または部分を新たに設ける必要がないので、構造が複雑化することもない。また、切欠部は、シート状の保護フィルムであれば、金型による加工によって形成することができるので、本発明はシート状の種々の材質の保護フィルムに広く適用可能である。
【００１９】
上記第２の局面による液晶表示装置の保護フィルムにおいて、好ましくは、保護フィルムは、液晶表示部に取り付けた場合に、額縁部の外形線よりも外側に突出するように形成された取り外し時の取り外し代となる張出部を含む。このように構成すれば、液晶表示装置に取り付けられた保護フィルムを液晶表示装置から取り外す際に、張出部を把持して容易に保護フィルムを取り外すことができる。これにより、張出部がない場合と比較して、保護フィルムを液晶表示装置から取り外す際の作業性を向上させることができる。
【００２０】
上記第２の局面による液晶表示装置の保護フィルムにおいて、好ましくは、切欠部は、液晶表示部の隅部の外形線から外側に所定の距離隔てた額縁部に対応する領域に形成されるとともに、液晶表示部の外形線の２辺に沿って延び、かつ、端部が液晶表示部に向かって延びる第１切欠部と、第１切欠部の端部と連続するように形成され、実質的に液晶表示部の外形線上に沿って延びる第２切欠部とを有する。このように構成すれば、液晶表示部と額縁部との隙間に差込部を挿入する際に、容易に、差込部を保護フィルムの主面に対して下方向に曲げることができる。これにより、第１切欠部および第２切欠部がない場合と比較して、より容易に液晶表示部と額縁部との隙間に差込部を挿入することができるので、保護フィルムを液晶表示装置に取り付ける際の作業性を向上させることができる。また、実質的に液晶表示部の外形線に沿って延びる第２切欠部を設けることによって、第２切欠部を保護フィルムに取り付ける際の位置決め部として用いることができる。
【００２１】
上記第２の局面による液晶表示装置の保護フィルムにおいて、好ましくは、差込部は、丸形形状の先端部を有する。このように構成すれば、液晶表示部と額縁部との隙間に差込部を挿入する際に、差込部の先端により液晶表示部の表面に傷が付くのを抑制することができる。
【００２２】
上記第２の局面による液晶表示装置の保護フィルムにおいて、好ましくは、切欠部は、額縁部の四隅部の上面に対応する位置に４つ設けられており、差込部は、４つの切欠部の液晶表示部側に対応する位置に４つ設けられている。このように構成すれば、４つの差込部により保護フィルムを液晶表示装置の四隅で固定することができるので、保護フィルムを液晶表示装置の四隅のうちの２ヶ所または３ヶ所で固定する場合に比べて、保護フィルムを液晶表示装置に対してより強い固定力で取り付けることができる。これにより、保護フィルムが搬送途中で外れるのをより抑制することができる。
【発明を実施するための最良の形態】
【００２３】
以下、本発明の実施の形態を図面に基づいて説明する。
【００２４】
（第１実施形態）
図１は、本発明の第１実施形態による液晶モジュールの保護フィルムと液晶モジュールとを示した斜視図である。図２は、図１に示した本発明の第１実施形態による保護フィル
ムを液晶モジュールに取り付けた状態を示した斜視図である。図３は、図１に示した保護フィルムの部分拡大図である。図４は、図２の部分拡大図である。図５は、図４に示した保護フィルムを取り付けた液晶モジュールの２００−２００線に沿った断面図である。まず、図１〜図５を参照して、本発明の第１実施形態による保護フィルム１０について説明する。
【００２５】
本発明の第１実施形態による保護フィルム１０は、図１および図２に示すように、部品としての液晶モジュール５０を完成品メーカに出荷する際に、液晶モジュール５０の液晶表示部５１を保護するために取り付けられる。また、液晶モジュール５０の額縁部５２の側面には、図１および図４に示すように、複数のねじ／端子取付部５２ａが設けられている。また、保護フィルム１０は、液晶モジュール５０を部品工場から完成品メーカの組立工場に搬送する間だけ使用される。そして、保護フィルム１０は、液晶表示装置の組立工場内で液晶モジュール５０から取り外される。この保護フィルム１０は、ポリカーボネートなどの樹脂材料により形成されている。また、保護フィルム１０は、方形状の液晶モジュール５０と相似形状であり、液晶モジュール５０よりも一回り大きく形成されている。すなわち、保護フィルム１０の外形線は、液晶モジュール５０の外形線よりも外側に位置する。
【００２６】
ここで、第１実施形態では、保護フィルム１０は、図１および図３に示すように、４つの張出部１１と、４つの切欠部１２と、４つの差込部１３とを含んでいる。張出部１１は、図２に示すように、保護フィルム１０の液晶モジュール５０の外形線よりも外側に位置する部分のうち、液晶モジュール５０の額縁部５２の４つの隅部近傍部分に対応する部分のことを示す。この張出部１１は、保護フィルム１０を液晶モジュール５０から取り外す際の取り外し代として機能する。また、４つの切欠部１２は、額縁部５２の四隅部の上面の所定領域に対応する位置に設けられている。この切欠部１２は、図３および図４に示すように、差込部１３を形成するとともに、液晶表示部５１と額縁部５２との隙間への差込部１３の挿入を容易にするために設けられている。また、切欠部１２は、液晶表示部５１の四隅部の外形線から外側に所定の距離隔てた額縁部５２に対応する領域に形成されるとともに、液晶表示部５１の外形線の２辺に沿って延び、かつ、端部が液晶表示部５１に向かって延びる第１切欠部１２ａと、第１切欠部１２ａの端部と連続するように形成され、実質的に液晶表示部５１の外形線上に沿って延びる第２切欠部１２ｂとを有している。なお、切欠部１２は、金型による加工により、保護フィルム１０を形成する際に同時に形成される。差込部１３は、第１切欠部１２ａの液晶表示部５１側に位置する保護フィルム１０の部分により形成されている。この差込部１３は、図２、図４および図５に示すように、額縁部５２の４つの隅部の液晶表示部５１と額縁部５２との隙間へ挿入されることにより、保護フィルム１０を液晶モジュール５０に対して固定する機能を有する。また、差込部１３は、図３および図４に示すように、先端が丸形形状となった先端部１３ａを有する。この先端部１３ａは、図４および図５に示すように、液晶表示部５１と額縁部５２との隙間に差込部１３を挿入する際に、差込部１３の先端により液晶表示部５１の表面に傷が付くのを抑制するために設けられている。
【００２７】
第１実施形態では、上記のように、保護フィルム１０に、少なくとも額縁部５２の四隅部の上面の所定領域に対応する位置に設けられた４つの切欠部１２と、４つの切欠部１２の液晶表示部５１側に位置するとともに、保護フィルム１０を液晶表示部５１に取り付ける際に、液晶表示部５１と額縁部５２との隙間に挿入される４つの差込部１３とを設けることによって、ドラフティングテープなどを使用して保護フィルム１０を液晶モジュール５０に取り付ける場合と比較して、ドラフティングテープなどを切り取って保護フィルム１０に取り付ける作業がなくなる分、保護フィルム１０を液晶モジュール５０に取り付ける際の作業性を向上させることができる。
【００２８】
また、第１実施形態では、保護フィルム１０に、液晶表示部５１と額縁部５２との隙間に挿入される４つの差込部１３を設けることによって、液晶モジュール５０の液晶表示部５１を保護する機能と、液晶モジュール５０に保護フィルム１０を取り付ける機能とを１つの部材により得ることができるので、ドラフティングテープなどを使用して保護フィルム１０を液晶モジュール５０に取り付ける場合と比較して、部品点数を削減することができる。また、保護フィルム１０に、４つの差込部１３を設けることによって、液晶モジュール５０側に保護フィルム１０の取り付けのための構造または部分を新たに設ける必要がないので、構造が複雑化することもない。
【００２９】
また、第１実施形態では、切欠部１２を金型による加工によって形成することができるので、種々の材質からなるシート状の保護フィルムに広く適用することができる。
【００３０】
また、第１実施形態では、切欠部１２を、額縁部５２の四隅部の上面に対応する位置に４つ設けるととともに、差込部１３を、４つの切欠部１２の液晶表示部５１側に対応する位置に４つ設けることによって、４つの差込部１３により保護フィルム１０を液晶モジュール５０の四隅で固定することができるので、保護フィルム１０を液晶モジュール５０の四隅のうちの２ヶ所または３ヶ所で固定する場合に比べて、保護フィルム１０を液晶モジュール５０に対してより強い固定力で取り付けることができる。これにより、保護フィルム１０が搬送途中で外れるのをより抑制することができる。
【００３１】
また、第１実施形態では、切欠部１２に、液晶表示部５１の四隅部の外形線から外側に所定の距離隔てた額縁部５２に対応する領域に形成されるとともに、液晶表示部５１の外形線の２辺に沿って延び、かつ、端部が液晶表示部５１に向かって延びる第１切欠部１２ａと、第１切欠部１２ａの端部と連続するように形成され、実質的に液晶表示部５１の外形線上に沿って延びる第２切欠部１２ｂを設けることによって、液晶表示部５１と額縁部５２との隙間に差込部１３を挿入する際に、容易に、差込部１３を保護フィルム１０の主面に対して下方向に曲げることができる。これにより、第１切欠部１２ａおよび第２切欠部１２ｂがない場合と比較して、より容易に液晶表示部５１と額縁部５２との隙間に差込部１３を挿入することができるので、保護フィルム１０を液晶モジュール５０に取り付ける際の作業性を向上させることができる。また、実質的に液晶表示部５１の外形線に沿って延びる第２切欠部１２ｂを設けることによって、第２切欠部１２ｂを保護フィルム１０に取り付ける際の位置決め部として用いることができる。
【００３２】
また、第１実施形態では、差込部１３に、丸形形状の先端部１３ａを設けることによって、液晶表示部５１と額縁部５２との隙間に差込部１３を挿入する際に、差込部１３の先端により液晶表示部５１の表面に傷が付くのを抑制することができる。
【００３３】
また、第１実施形態では、保護フィルム１０に、額縁部５２の外形線よりも外側に突出するように形成された取り外し時の取り外し代となる張出部１１を設けることによって、液晶モジュール５０に取り付けられた保護フィルム１０を液晶モジュール５０から取り外す際に、張出部１１を把持して容易に保護フィルム１０を取り外すことができる。これにより、張出部１１がない場合と比較して、保護フィルム１０を液晶モジュール５０から取り外す際の作業性を向上させることができる。
【００３４】
（第２実施形態）
図６は、本発明の第２実施形態による液晶表示装置の保護フィルムと液晶表示装置とを示した斜視図である。図７は、図６に示した本発明の第２実施形態による保護フィルムを液晶表示装置に取り付けた状態を示した斜視図である。図８は、図７の部分拡大図である。図９は、図８に示した保護フィルムを取り付けた液晶モジュールの３００−３００線に沿った断面図である。図６〜図９を参照して、この第２実施形態では、上記第１実施形態
と異なり、保護フィルムによって完成品である液晶表示装置の表示部を保護する場合について説明する。
【００３５】
すなわち、この第２実施形態の保護フィルム２０は、図６および図７に示すように、液晶テレビジョン、パソコン、携帯電話、デジタルカメラなどの表示部を構成する液晶表示装置６０を保護するものである。なお、液晶表示装置６０は、方形状の液晶表示部６１と方形状の額縁部６２とを備えている。額縁部６２は、液晶表示装置６０の液晶表示部６１を囲むように形成された枠の部分であり、液晶表示部６１を囲む内側面が傾斜した形状に形成されている。また、保護フィルム２０は、液晶表示装置６０がユーザに納品される前に、傷つきやすい液晶表示装置６０の液晶表示部６１を保護するために液晶表示装置６０の液晶表示部６１を覆うように取り付けられている。
【００３６】
この保護フィルム２０は、図６および図８に示すように、４つの張出部２１と、４つの切欠部２２と、４つの差込部２３とを含んでいる。張出部２１、切欠部２２および差込部２３は、それぞれ、第１実施形態の保護フィルム１０の張出部１１、切欠部１２および差込部１３と同一の形状を有する。具体的には、第２実施形態では、張出部２１は、図７に示すように、保護フィルム２０の液晶表示装置６０の外形線よりも外側に位置する部分のうち、液晶表示装置６０の額縁部６２の４つの隅部近傍部分に対応する部分のことを示す。この張出部２１は、保護フィルム２０を液晶表示装置６０から取り外す際の取り外し代として機能する。また、４つの切欠部２２は、額縁部６２の四隅部の上面の所定領域に対応する位置に設けられている。この切欠部２２は、図８に示すように、差込部２３を形成するとともに、液晶表示部６１と額縁部６２との隙間への差込部２３の挿入を容易にするために設けられている。また、切欠部２２は、液晶表示部６１の四隅部の外形線から外側に所定の距離隔てた額縁部６２に対応する領域に形成されるとともに、液晶表示部６１の外形線の２辺に沿って延び、かつ、端部が液晶表示部６１に向かって延びる第１切欠部２２ａと、第１切欠部２２ａの端部と連続するように形成され、実質的に液晶表示部６１の外形線上に沿って延びる第２切欠部２２ｂとを有している。なお、切欠部２２は、金型による加工により、保護フィルム２０を形成する際に同時に形成される。差込部２３は、第１切欠部２２ａの液晶表示部６１側に位置する保護フィルム２０の部分により形成されている。この差込部２３は、図７〜図９に示すように、額縁部６２の４つの隅部の液晶表示部６１と額縁部６２との隙間へ挿入されることにより、保護フィルム２０を液晶表示装置６０に対して固定する機能を有する。また、差込部２３は、図８に示すように、先端が丸形形状となった先端部２３ａを有する。この先端部２３ａは、液晶表示部６１と額縁部６２との隙間に差込部２３を挿入する際に、差込部２３の先端により液晶表示部６１の表面に傷が付くのを抑制するために設けられている。
【００３７】
第２実施形態では、上記のように、保護フィルム２０に、少なくとも額縁部６２の四隅部の上面の所定領域に対応する位置に設けられた４つの切欠部２２と、４つの切欠部２２の液晶表示部６１側に位置するとともに、保護フィルム２０を液晶表示部６１に取り付ける際に、液晶表示部６１と額縁部６２との隙間に挿入される４つの差込部２３とを設けることによって、ドラフティングテープなどを使用して保護フィルム２０を液晶表示装置６０に取り付ける場合と比較して、ドラフティングテープなどを切り取って保護フィルム２０に取り付ける作業がなくなる分、保護フィルム２０を液晶表示装置６０に取り付ける際の作業性を向上させることができる。また、保護フィルム２０に、液晶表示部６１と額縁部６２との隙間に挿入される４つの差込部２３を設けることによって、液晶表示装置６０の液晶表示部６１を保護する機能と、液晶表示装置６０に保護フィルム２０を取り付ける機能とを１つの部材により得ることができるので、ドラフティングテープなどを使用して保護フィルム２０を液晶表示装置６０に取り付ける場合と比較して、部品点数を削減することができる。また、保護フィルム２０に、４つの差込部２３を設けることによって、液晶表示装置６０側に保護フィルム２０の取り付けのための構造または部分を新たに設ける
必要がないので、構造が複雑化することもない。
【００３８】
なお、第２実施形態のその他の効果は、上記した第１実施形態と同様である。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記第１および第２実施形態では、保護フィルムの外形線を、液晶表示部に取り付けた場合に、額縁部の外形線よりも外側に位置するように形成したが、本発明はこれに限らず、液晶表示部に取り付けた場合に、保護フィルムの外形線が額縁部の外形線よりも内側に位置するように保護フィルムを形成してもよい。
【００４１】
また、上記第１および第２実施形態では、切欠部を、液晶表示部の四隅部の外形線から外側に所定の距離隔てた額縁部に対応する領域に形成するとともに、液晶表示部の外形線の２辺に沿って延びる第１切欠部と、実質的に液晶表示部の外形線上に沿って延びる第２切欠部とを有するように形成したが、本発明はこれに限らず、切欠部を他の形状に形成してもよい。
【００４２】
また、上記第１および第２実施形態では、保護フィルムを方形状に形成したが、本発明はこれに限らず、保護フィルムを液晶表示部の形状に対応して六角形その他の形状に形成してもよい。
【００４３】
また、上記第１および第２実施形態では、保護フィルムに４つの差込部を設けたが、本発明はこれに限らず、保護フィルムに２つまたは３つの差込部を設けるようにしてもよい。
【図面の簡単な説明】
【００４４】
【図１】本発明の第１実施形態による液晶モジュールの保護フィルムと液晶モジュールとを示した斜視図である。
【図２】図１に示した本発明の第１実施形態による保護フィルムを液晶モジュールに取り付けた状態を示した斜視図である。
【図３】図１に示した保護フィルムの部分拡大図である。
【図４】図２の部分拡大図である。
【図５】図４に示した保護フィルムを取り付けた液晶モジュールの２００−２００線に沿った断面図である。
【図６】本発明の第２実施形態による液晶表示装置の保護フィルムと液晶表示装置とを示した斜視図である。
【図７】図６に示した本発明の第２実施形態による保護フィルムを液晶表示装置に取り付けた状態を示した斜視図である。
【図８】図７の部分拡大図である。
【図９】図８に示した保護フィルムを取り付けた液晶モジュールの３００−３００線に沿った断面図である。
【図１０】従来の一例による液晶モジュールの保護フィルムと液晶モジュールとを示した斜視図である。
【図１１】図１０に示した従来の一例による保護フィルムを液晶モジュールに取り付けた状態を示した斜視図である。
【図１２】図１１の部分拡大図である。
【符号の説明】
【００４５】
１０、２０  保護フィルム
１１、２１  張出部
１２、２２  切欠部
１２ａ、２２ａ  第１切欠部
１２ｂ、２２ｂ  第２切欠部
１３、２３  差込部
１３ａ、２３ａ  先端部
５０  液晶モジュール
５１  液晶表示部
５２  額縁部
６０  液晶表示装置
６１  液晶表示部
６２  額縁部
【図１】
2005157084.tif 000003
【図２】
2005157084.tif 000004
【図３】
2005157084.tif 000005
【図４】
2005157084.tif 000006
【図５】
2005157084.tif 000007
【図６】
2005157084.tif 000008
【図７】
2005157084.tif 000009
【図８】
2005157084.tif 000010
【図９】
2005157084.tif 000011
【図１０】
2005157084.tif 000012
【図１１】
2005157084.tif 000013
【図１２】
2005157084.tif 000014